(57)【要約】      （修正有）【課題】カードホルダーを効率良く生産するために高周波溶着は欠かせないとともに、スキミングシートのサイズを可能な限り大きくしてスキミング防止機能を高め、かつ溶着組み立てにおいての制約をなくすことにより、高いスキミング防止機能を供え、小型で生産効率の高いＩＣカードポケットを提供する。【解決手段】スキミングシートを被覆するサブシート２，５は、スキミングシート３，６の剥離や脱落を防ぐために、可能な限り全面を封止するのが一般的であるが、本考案ではサブシート２，５は開口部のみでシート１，４と連結し、開口部以外の辺を開放状態とすることによって、何時でも簡単にシート１，４とサブシート２，５の間にスキミングシート３，６を挟みこむ事が出来る構造とする。【選択図】図１
0003176941.tif 000002
【実用新案登録請求の範囲】
【請求項１】
樹脂材のシートを重ね、開口部を除く周囲を高周波溶着してポケットを形成し、ポケット内に収納するＩＣカードを開口部で挿抜するカードホルダーに関して、シート幅より狭い樹脂材のサブシートをシートの開口部のみでシートに連結し、ポケットの中でシートの内面に重ね、溶着組み立て完了後にシートとサブシートの間にスキミングシートを挟み込むことにより、溶着組み立てにおいてスキミングシートと溶着電極が干渉せず、スキミングシートのサイズを溶着ラインぎりぎりまで大きくすることが出来る、高いスキミング防止機能を供えた、小型で生産効率の高いＩＣカードポケット。
【請求項２】
樹脂材のシートを樹脂材のベースシートの表裏に重ね、開口部を除く周囲を高周波溶着してベースシートで分離されたポケットを形成し、ポケット内に収納するＩＣカードを開口部で挿抜するカードホルダーに関して、シート幅より狭い樹脂材のサブシートをシートの開口部のみでシートに連結し、ポケットの中でシートの内面に重ね、溶着組み立て完了後にシートとサブシートの間にスキミングシートを挟み込むことにより、溶着組み立てにおいてスキミングシートと溶着電極が干渉せず、スキミングシートのサイズを溶着ラインぎりぎりまで大きくすることが出来る、高いスキミング防止機能を供えた、小型で生産効率の高いＩＣカードポケット。
【請求項３】
樹脂材のシートを樹脂材のベースシートの表裏に重ね、開口部を除く周囲を高周波溶着してベースシートで分離されたポケットを形成し、ポケット内に収納するＩＣカードを開口部で挿抜するカードホルダーに関して、ベースシート幅より狭い樹脂材のサブシートをベースシートの開口部のみでベースシートに連結し、ポケットの中でベースシートの内面に重ね、溶着組み立て完了後にベースシートとサブシートの間にスキミングシートを挟み込むことにより、溶着組み立てにおいてスキミングシートと溶着電極が干渉せず、スキミングシートのサイズを溶着ラインぎりぎりまで大きくすることが出来る、高いスキミング防止機能を供えた、小型で生産効率の高いＩＣカードポケット。
【考案の詳細な説明】
【技術分野】
【０００１】樹脂材のシートを重ね、開口部を除く周囲を高周波溶着してポケットを形成し、ポケット内に収納するＩＣカードを開口部で挿抜するカードホルダーに関して、シート幅より狭い樹脂材のサブシートをシートの開口部のみでシートに連結し、ポケットの中でシートの内面に重ね、溶着組み立て完了後にシートとサブシートの間にスキミングシートを挟み込むＩＣカードポケット。
【背景技術】
【０００２】カードホルダーは軟質塩ビ材などの樹脂シートを瞬時に溶着できる高周波溶着機で溶着組み立てするのが一般的であり、非接触のＩＣカードをスキミングから守るためにはアルミ材などの金属材のスキミングシートでカードのほぼ全面を覆う対策が必要であるが、溶着組み立てでは、スキミングシートのような金属材は溶着電極と干渉を起こすため、溶着電極から所要距離離す必要がある。このため、スキミングシートを装着した状態で高周波溶着を行う場合は、電極間の距離を確保するためにカードホルダーのサイズが大きくなるとともに、スキミングシートの装着を何時行うかなどの制約が多い。
【考案が解決しようとする課題】
【０００３】カードホルダーを効率良く生産するために高周波溶着は欠かせないとともに、スキミングシートのサイズを可能な限り大きくしてスキミング防止機能を高め、かつ溶着組み立てにおいての制約をなくすことにより、高いスキミング防止機能を供え、小型で生産効率の高いＩＣカードポケットを実現する。
【課題を解決するための手段】
【０００４】スキミングシートを装着するサブシートは、スキミングシートの剥離や脱落を防ぐために、可能な限り全面を封止するのが一般的であるが、本考案ではサブシートは開口部のみでシートと連結し、開口部以外の辺を開放状態とすることによって、何時でも簡単にシートとサブシートの間にスキミングシートを挟みこむ事が出来る構造とする。
【考案の効果】
【０００５】サブシートは、シートの開口部のみでシートと連結し、開口部以外の辺を開放状態とするため、スキミングシートをカードホルダーの溶着組み立てが完了した後に何時でも装着できる構造とすることにより、金属材のスキミングシートと溶着電極との干渉問題はなくなり、溶着ラインぎりぎりまでスキミングシートを広げることが可能となるとともに、高周波溶着により高い生産性が維持され、かつスキミングシートを何時装着するかなどの溶着組み立てにおける制約が一切無くなる大きな効果が有る。
【考案を実施するための形態】
【０００６】図１は本考案の請求項１におけるＩＣカードホルダーの構成概念を示し、シート１，４，スキミングシート３，６，サブシート２，５で一対で構成し、ＩＣカードは開口部７で挿抜する。図２（１）はシート１とサブシート２の関係を示し、サブシートはスキミングシートの装着を容易にするため、シートより幅が狭く、かつ上端の開口部の溶着ライン８のみで連結されており、他の辺は開放状態である。図２（２）はサブシートが溶着されたシート二枚をサブシートを内側にして重ね合わせて開口部以外の辺を溶着ライン９で溶着してＩＣカード用のポケットを構成している。
【０００７】シート、サブシートは軟質塩ビなどの樹脂を使用し連結部は高周波溶着で処理する。ＩＣカードのスキミング防止は、データを非接触で読み書きするための電磁波をカード近傍に配置する金属によって渦電流を発生させて妨害するために、アルミなどの金属材が使用される。しかし高周波溶着では、溶着電極の近傍に金属が存在すると相互に干渉するため溶着電極と金属とは最低でも５ｍｍ程度は離すことが必要である。このため、溶着組み立ての段階でスキミングシートが装着されている場合は、スキミングシートを溶着電極から所定距離は離すことが必要であり、カードホルダーのサイズを大きくするか、又はスキミングシートを小さくしなければならずスキミング防止効果が弱くなる。
【０００８】本考案はかかる問題を解決するために、サブシートはシートとシート上端の開口部のみで連結して他の辺は開放状態にしてある。この結果、カードホルダーの溶着組み立てが完了した後に、シートとの溶着ラインでサブシートをポケットの外に引き出して折り返して、スキミングシートをポケット内でシートの上に配置して、サブシートをポケットの中に折り戻してスキミングシートを覆う。この方法によって、スキミングシートは溶着ラインぎりぎりまでの広いサイズとすることが出来るため、スキミング防止機能を最大に高めることが出来るとともに、溶着組み立て時にスキミングシートを装着しておく必要がないため、電極との干渉も無く作業性は極めて良い。図４は請求項２に記載するシート、スキミングシート、サブシートの一対で構成するカードホルダーの中間に樹脂材の仕切り用のベースシート８を設けて、ポケットを二分してカードの仕分けを可能としている。カードの挿抜は１１，１２が示す開口部で行う。
【実施例】
【０００９】シート、サブシート、ベースシートは厚さ０．２ｍｍの塩ビシートとし、一般的なＩＣカードは８５×５５ｍｍ程度であるため、シートは９０×５９ｍｍ，サブシートは８２×５５ｍｍ，ベースシートは９０×５９ｍｍとした。シートとサブシートは分離したシートをカードの挿抜開口部で連結して構成したが、図３に示すごとく一体で形成して、開口部１３で折り返す構造でも良い。スキミング防止シートは上質紙に７ミクロンのアルミをコーティングしたシートを使用したが、ＩＣカードのスキミングを防止するためにはアルミの厚さは７ミクロ程度有れば十分である。本試作ではアルミシートでＩＣカードの外面を被覆したが、カードホルダーの間にベースシート８を設ける構造では請求項３で示すようにスキミングシートをベースシートとサブシートの間に装着しても良い。また、シートなどの素材は塩ビに限定されるものではなくオレフインなど高周波溶着が可能な樹脂材であれば良く、スキミングシートに関しても、アルミに限定されるものではなく導電性素材であれば良い。さらに各種の機能、性能、素材、ディメンジョンに関しても、本考案の趣旨を逸脱しない範囲であれば種々変形実施が可能である。
【図面の簡単な説明】
【００１０】
【図１】本考案に基づくＩＣカードポケットの構成概念図を示す。
【図２】（１）シートとサブシートの溶着概念図。
【図２】（２）シートとシートの溶着の概念図。
【図３】シートとサブシートを一体構成する構成図概念図。
【図４】ポケットの中間にベースシートを入れた構成概念図を示す。
【符号の説明】１，４    シート                          １０    ベースシート
２，５    サブシート                １１，１２    カード挿抜
３，６    スキミングシート                １３    折り返しライン
７    カード挿抜
８    シート、サブシートの溶着ライン
９    シートとシートの溶着ライン
【図１】
0003176941.tif 000003
【図２】
0003176941.tif 000004
【図３】
0003176941.tif 000005
【図４】
0003176941.tif 000006